(57)【要約】      （修正有）【課題】副収納部に収納された収納物の重量が大きい場合であっても、収納内部及び収納物、特にラップトップ型パソコンやタブレット型コンピューター等の電子機器への移動中の衝撃を緩和して安全、確実に収納して搬送することができるフロントオープン型キャリーケースを提供する。【解決手段】全体略直方体状の主収納部１１と、主収納部の厚さ方向外側部に配置された副収納部１２とを備えたキャリーケース１０であって、主収納部と副収納部との間には、主収納部と副収納部とを画成すると共に、副収納部側には、クッション部材を有し、電子機器を収納し得る収納体４２を収納できるポケット部３４を備え、主収納部の内側縁部に固定された隔壁面部１３を有する。【選択図】図１
0003183727.tif 000002
【実用新案登録請求の範囲】
【請求項１】
全体略直方体状の主収納部と、上記主収納部の厚さ方向外側部に配置された副収納部とを備えたキャリーケースであって、上記主収納部と上記副収納部との間には、上記主収納部と上記副収納部とを画成すると共に、上記副収納部側には、クッション部材を有し、電子機器を収納し得る収納体を収納できるポケット部を備え、上記主収納部の内側縁部に固定された隔壁面部を有することを特徴とするフロントオープン型キャリーケース。
【請求項２】
上記隔壁面部は、布材からなり、上記主収納部の上記内側縁部に縫合固定されていることを特徴とする請求項１記載のフロントオープン型キャリーケース。
【請求項３】
上記電子機器は、薄板状に形成されると共に、上記収納体も、方形の薄厚袋状に形成されていることを特徴とする請求項１記載のフロントオープン型キャリーケース。
【請求項４】
上記主収納部は、一対の箱状ハーフから成り、上記副収納部は、一方の箱状ハーフに設けられた開口部と、上記開口部を被覆可能に設けられた蓋体により形成され、上記開口部周縁に設けられたファスナー部により開閉可能に形成されていることを特徴とする請求項１記載のフロントオープン型キャリーケース。
【請求項５】
上記蓋体は、上記一方の箱状ハーフに対して下端部に設けられた開閉軸部を介して取り付けられていると共に、上記開口部の幅方向両端部と上記蓋体の幅方向両端部との間には、上記蓋体を開放した際にストッパーとして作用する一対のマチ部が設けられていることを特徴とする請求項４記載のフロントオープン型キャリーケース。
【請求項６】
上記主収納部は、他方の箱状ハーフの上端部に設けられた取手部と、上記一対の箱状ハーフの底面部に設けられたキャスターとを備え、上記一対の箱状ハーフの接合部は、上記接合部周縁に設けられた開口部により開閉可能に形成されていることを特徴とする請求項１記載のフロントオープン型キャリーケース。
【考案の詳細な説明】
【技術分野】
【０００１】
本考案は、電子機器の収納に適したフロントオープン型のキャリーケースに関するものである。
【背景技術】
【０００２】
今日、事業の地方進出や海外進出による地方及び海外出張者の増加、または、国内旅行客数や海外旅行客数の増加により、キャリーケースの需要は増加しているため、使い勝手が良く、カジュアルなキャリーケースが多く流通している。
使い勝手の良さとしては、衣類やパソコン等の比較的大きな物から、財布や携帯電話、飲食物等の比較的小さな物まで、種々の物を収納できるスペースが設けられていることや、物の出し入れが容易にできること等が挙げられる。
【０００３】
ところで、出張者の必需品と言えば、出張先や移動中においても業務を行うことができるラップトップ型パソコンやタブレット型コンピューター等が挙げられる。
また、旅行客においても、ガイドブックの代替品や写真撮影等を目的としてタブレット型コンピューターやデジタルカメラ等を携行している人は多いため、必要時にラップトップ型パソコンやタブレット型コンピューター、デジタルカメラ等の電子機器を容易に出し入れできることは、顕在的なニーズとなっている。
【０００４】
一方で、キャリーケースは、移動中は、路面等からの衝撃を受けやすいと共に、収納物同士が接触することにより、上記電子機器に衝撃が及ぶ可能性が大きい。
そのため、キャリーケースに上記電子機器を損傷させることなく安定した状態で収納し、かつ必要時には容易に出し入れできる状態で持ち運びすることが従来より要請されていた。
【０００５】
このような観点から、収納物を安定した状態で収納し、かつ容易に出し入れできる状態で持ち運びするキャリーケースとして以下のような従来技術が存在する。例えば、特許文献１には、主収納部と副収納部とを隔てる境界部に、上記主収納部と上記副収納部とを連通可能に仕切るファスナー部を有した面部を設けることで、上記主収納部または上記副収納部どちらか一方の収納部を開口することで、両方の収納部どちらからでも、収納物の出し入れが手早く簡単に行うことができるキャリーケースが開示されている。
【０００６】
特許文献２には、スーツケース箱体の蓋体正面にファスナーにより開閉可能に形成された副蓋体を固定片を介して連結することで、上記副蓋体と上記蓋体間に収納空間を形成し、上記収納空間に日常的によく使用する収納物を収納することで、上記スーツケース箱体を開閉することなく、容易に上記収納物の出し入れを行うことができるキャリーケースが開示されている。
【０００７】
特許文献３には、副収納部の上端部二個所に分離可能な吊り下げベルトを介して収容袋を設けたことで、上記収容袋への小物の出し入れをスーツケースの姿勢を変えずに容易にできるキャリーケースが開示されている。
【０００８】
特許文献４には、ケース本体内部に、精密機器の収納部を設けた仕切板を備え、上記仕切板の上端部二個所を分離可能な連結具付きの吊りベルトを介して上記ケース本体に接続することで、外部からの衝撃が上記仕切板に直接加えられることはないため、精密機器を損傷しないように確実に保護することができるキャリーケースが開示されている。
【特許文献１】実用新案登録第３１８１４７０号公報
【特許文献２】実用新案登録第３１６８６３３号公報
【特許文献３】実用新案登録第３１６３１３７号公報
【特許文献４】実用新案登録第３０８２４２８号公報
【考案の開示】
【考案が解決しようとする課題】
【０００９】
しかしながら、特許文献１〜４は、いずれも、ラップトップ型パソコン等の電子機器を損傷させることなく収納したいという要請に応えられるものではなかった。さらに、特許文献１にあっては、主収納部と副収納部とを隔てる面部は、ファスナー部により固定されているため、副収納部に収納された収納物の重量が大きい場合には、上記ファスナー部が損傷する可能際があると共に、上記ファスナー部を取付けるコストが嵩むという不具合があった。また、特許文献２においても同様に、固定片に設けられたファスナーが損傷する可能性があると共に、上記ファスナー及び上記固定片を取付けるコストが嵩むという不具合があった。また、特許文献３及び４にあっては、副収納部は、分離可能な吊り下げベルトが設けられており、移動中に外部からの衝撃により上記吊り下げベルトが外れることで、収納された収納物が散乱し、延いては上記収納物が損傷する可能性があるという不具合があった。
【００１０】
本考案は、このような従来からの不具合を解決するためのものであり、副収納部に収納された収納物の重量が大きい場合であっても、収納内部及び収納物、特にラップトップ型パソコンやタブレット型コンピューター等の電子機器への移動中の衝撃を緩和して安全、確実に収納して搬送することができるフロントオープン型キャリーケースを提供することにある。
【課題を解決するための手段】
【００１１】
上記課題達成のため、請求項１記載の考案にあっては、全体略直方体状の主収納部と、上記主収納部の厚さ方向外側部に配置された副収納部とを備えたキャリーケースであって、上記主収納部と上記副収納部との間には、上記主収納部と上記副収納部とを画成すると共に、上記副収納部側には、クッション部材を有し、電子機器を収納し得る収納体を収納できるポケット部を備え、上記主収納部の内側縁部に固定された隔壁面部を有することを特徴とする。
【００１２】
請求項２記載の考案にあっては、上記隔壁面部は、布材からなり、上記主収納部の上記内側縁部に縫合固定されていることを特徴とする。
【００１３】
請求項３記載の考案にあっては、上記電子機器は、薄板状に形成されると共に、上記収納体も、方形の薄厚袋状に形成されていることを特徴とする。
【００１４】
請求項４記載の考案にあっては、上記主収納部は、一対の箱状ハーフから成り、上記副収納部は、一方の箱状ハーフに設けられた開口部と、上記開口部を被覆可能に設けられた蓋体により形成され、上記開口部周縁に設けられたファスナー部により開閉可能に形成されていることを特徴とする。
【００１５】
請求項５記載の考案にあっては、上記蓋体は、上記一方の箱状ハーフに対して下端部に設けられた開閉軸部を介して取り付けられていると共に、上記開口部の幅方向両端部と上記蓋体の幅方向両端部との間には、上記蓋体を開放した際にストッパーとして作用する一対のマチ部が設けられていることを特徴とする。
【００１６】
請求項６記載の考案にあっては、上記主収納部は、他方の箱状ハーフの上端部に設けられた取手部と、上記一対の箱状ハーフの底面部に設けられたキャスターとを備え、上記一対の箱状ハーフの接合部は、上記接合部周縁に設けられた開口部により開閉可能に形成されていることを特徴とする。
【考案の効果】
【００１７】
請求項１から３記載の考案にあっては、主収納部と、上記主収納部の厚さ方向外側部に配置された副収納部との間には、上記主収納部と上記副収納部とを画成すると共に、上記副収納部側には、クッション部材を有し、電子機器を収納し得る収納体を収納できるポケット部を備えている。
したがって、ラップトップ型パソコンやタブレット型コンピューター等の電子機器を収納する収納体がクッション部材を有することから、フロントオープン型キャリーケースを移動させる場合に発生する衝撃や、収納部に収納する他の収納物による影響をクッション部材が吸収するため、フロントオープン型キャリーケースに上記電子機器を安全、確実に収納して搬送することができる。
【００１８】
また、今日では、上記ラップトップ型パソコンやタブレット型コンピューター等の電子機器は薄型化及び小型化が進み、薄板状に形成されているものが多く、また上記電子機器を収納する収納体も薄厚袋状に形成されている。
したがって、例えば上記ポケット部を市場に適応させたコンパクトサイズに形成することで、上記収納体を上記ポケット部に収納した際において、隙間部を小さくして収納することができる。その結果、フロントオープン型キャリーケースが大きな衝撃を受けた場合や急ぐ際に急激な移動をした際であっても、上記収納体が散乱することはなく、確実に保護した状態で収納し持ち運びすることができる。
さらに、上記収納体以外の収納物を収納する収納部を広く確保することもできるため、収納部を効率よく使用することができる。
【００１９】
また、上記主収納部と上記副収納部との間には、布材により形成され、上記主収納部の上記内側縁部に縫合固定された隔壁面部を有する。
したがって、収納物が厚さ方向に揺れ、上記布材を押圧する状態においても、上記布材は柔軟性を有していることから衝撃が緩和されるため、収納物を安全、確実に収納して搬送することができる。
さらに、上記ポケット部に収納された上記ラップトップ型パソコンやタブレット型コンピューター等の電子機器の重量が大きい場合であっても、上記隔壁面部はファスナーや吊り下げベルト等により、フロントオープン型キャリーケース本体部に固定されるようには構成されていないことから、経年時に、上記隔壁面部が損傷することはない。
【００２０】
また、上記隔壁面部は、上記ファスナーや吊り下げベルトを設けることなく収納部を形成することができるため、上記ファスナーや吊り下げベルトの取付に費やすコストを抑制し、フロントオープン型キャリーケースを製造することができる。
【００２１】
請求項４から６記載の考案にあっては、上記主収納部は、一対の箱状ハーフから成り、上記一対の箱状ハーフの接合部は、上記接合部周縁に設けられた開口部により開閉可能に形成されていると共に、上記副収納部は、一方の箱状ハーフに設けられた開口部と、上記開口部を被覆可能に設けられた蓋体により形成されている。
したがって、請求項１から３記載の考案の効果に加えて、収納スペースの広い上記主収納部には、衣類等の比較的大きな収納物を収納し、上記副収納部には、ラップトップ型パソコンやタブレット型コンピューター、デジタルカメラ、携帯電話等の比較的出し入れ頻度の多い収納物を収納することができ、適宜選択することで、収納部を効率よく使用することができる。
【００２２】
また、上記蓋体は、上記一方の箱状ハーフに対して下端部に設けられた開閉軸部を介して取り付けられていると共に、上記開口部の幅方向両端部と上記蓋体の幅方向両端部との間には、上記蓋体を開放した際にストッパーとして作用する一対のマチ部が設けられている。
したがって、上記蓋体を開放した際に、上記蓋体は、上記開閉軸部及び上記一対のマチ部がストッパーとして作用することから、開放角度は一定の角度に規制される。
その結果、上記蓋体が床に接触することはないため、損傷または汚れの付着を防止することができると共に、収納物が不用意に飛び出すことなく、かつスペースを広げずに収納物の出し入れが可能となる。
【図面の簡単な説明】
【００２３】
【図１】本考案に係るフロントオープン型キャリーケースの副収納部を開放し、ポケット部にラップトップ型パソコンを収納した収納体を収納した状態における一実施の形態を示す斜視図である。
【図２】本考案に係るフロントオープン型キャリーケースの隔壁面部を縫合固定した状態を示した拡大斜視図の一部である。
【図３】本考案に係るフロントオープン型キャリーケースの副収納部を開放し、ポケット部にタブレット型コンピューターを収納した収納体を収納した状態における他の実施の形態を示す斜視図である。
【考案を実施するための最良の形態】
【００２４】
以下、添付図面に示す実施の形態に基づき、本考案を詳細に説明する。
図１は、本考案に係るフロントオープン型キャリーケース１０の副収納部１２を開放し、ポケット部３４にラップトップ型パソコン３３を収納した収納体４２を収納した状態における一実施の形態を示す斜視図である
図１に示すように、本実施の形態に係るフロントオープン型キャリーケース１０は、全体略直方体状の主収納部１１と、主収納部１１の厚さ方向外側部に配置された副収納部１２とを備え、主収納部１１と副収納部１２との間には、主収納部１１と副収納部１２とを画成する平面略長方形状の隔壁面部１３が設けられている。
【００２５】
主収納部１１は、一対の箱状ハーフ１５、１６と、他方の箱状ハーフ１６の上端部１７に設けられた主収納部１１の長さ方向に沿って延接され、出し入れ可能な取手部１８と、一対の箱状ハーフ１５、１６の底面部１９に設けられた４個のキャスター２０、２０、２０、２０とを備え、一対の箱状ハーフ１５、１６の接合部２１は、接合部２１周縁に設けられた線ファスナー２２により開閉可能に形成された開口部２３が設けられている。
【００２６】
副収納部１２は、一方の箱状ハーフ１５に設けられた開口部２４と、開口部２４を被覆可能に設けられた薄厚平面状の蓋体２５により形成され、開口部２４周縁に設けられた線ファスナー２６により開閉可能に形成されている。
線ファスナー２６には、２つのランナー２６ａ、２６ｂ（図示せず）が設けられ、長さ方向に沿って互いに反対方向へ移動させて、開口部２４を迅速に開放させることができるように構成されている。
【００２７】
図２は、本考案に係るフロントオープン型キャリーケース１０の隔壁面部１３を縫合固定した状態を示した拡大斜視図の一部である。
図１及び図２に示すように、隔壁面部１３は、平面長方形状の布材により形成され、一方の箱状ハーフ１５に形成された開口部２４全体を被覆する形で、一方の箱状ハーフ１５の内側周縁部４０ａ、４０ｂ、４０ｃ、４０ｄに縫い糸４１で縫合固定されている。
したがって、例えば、隔壁面部１３をファスナーや吊り下げベルト等を介して、一方の箱状ハーフ１５の内側周縁部４０ａ、４０ｂ、４０ｃ、４０ｄに固定する場合と比較した場合、収納物の重量により隔壁面部１３が損傷するという事態を回避でき、かつコストを抑制することができると共に、容易に製造することができる。
【００２８】
図１に示すように、蓋体２５は、薄厚平面状に形成され、一方の箱状ハーフ１５に対して下端部２７に設けられた開閉軸部２８を介して取り付けられる。
また、副収納部１２の開口部２４において、側面視した際、上面部１７から底面部１９側にかけて線ファスナー２６が、主収納部１１の開口部２３を形成する線ファスナー２２のラインと平行に配設されている。
したがって、線ファスナー２６を一方の箱状ハーフ１５の長さ方向に沿って移動させることができるため、副収納部の開閉の際の使い勝手が良好になる。
【００２９】
本実施の形態にあっては、隔壁面部１３の副収納部１２側には、ポケット部３４が設けられており、ポケット部３４を構成するポケット片２９は、ポリウレタン樹脂製のクッション部材からなる。
ポケット片２９は、隔壁面部１３が縫合固定された内側周縁部４０ｂ、４０ｃ、４０ｄに縫い糸４１で縫合固定され、上端部４７は開放されて隔壁面部１３との間に開口部４８を形成している。
ポケット部３４には、ラップトップ型パソコン３３を収納した収納体４２を収納し、開口部４８から取り出し可能となるように構成されている。
【００３０】
開口部２４の幅方向両端部３０、３０と蓋体２５の幅方向両端部３１、３１との間には、一対のマチ部３２、３２が設けられている。
したがって、蓋体２５を開放した際に、蓋体２５は、開閉軸部２８及び一対のマチ部３２、３２がストッパーとして作用することから、開放角度αは一定の角度で規制されるため、蓋体２５が床に接触することはなく、損傷または汚れの付着を防止することができると共に、収納物が不用意に飛び出すことなく、かつスペースを広げずに収納物の出し入れが可能となる。
【００３１】
一対のマチ部３２、３２は、側面略逆三角形状に形成され、中間部３５、３５に蓋体２５の長さ方向に沿って設けられた長方形状の面ファスナー３６、３６により形成されている。
【００３２】
したがって、本実施の形態にあっては、ポケット部３４内にラップトップ型パソコン３３を収納した収納体４２を収納することができ、フロントオープン型キャリーケース１０が大きな衝撃を受けた場合や急ぐ際に急激な移動をした際であっても、様々な衝撃を吸収して収納体４２をより確実に保護した状態で収納し持ち運びすることができる。
また、ラップトップ型パソコン３３は、出張中に、仕事等の作業のため頻繁に取り出して作業することが多いが、副収納部１２を蓋体２５を開くことにより開放し、主収納部１１に収納した収納物に関わらず、容易かつ迅速に取り出して作業を行うことができる。
【００３３】
縫合に使用される縫い糸４１は、ナイロンやポリエステル等の素材が使用される。
ポリエステルは、強度が大きく、適度な伸びを有しており、縫いやすさに優れ、長期の実用に耐えることができる等、縫い糸としてバランスの良い素材であるため、隔壁面部１３の製造が容易にできることに加え、フロントオープン型キャリーケース１０が路面等からの衝撃を受けた場合や、収納部に収納された収納物の重量が大きい場合においても、縫い糸４１が容易に切断される事態を防止することができる。
また、ナイロンは、ポリエステルの有する強度や伸びに加え、柔軟性と摩擦強度に優れているため、縫い糸４１が容易に解れる事態を防止することができる。
【００３４】
フロントオープン型キャリーケース１０は、表面部３７、３８の素材により、ハードケースとソフトケースの大きく２種類に区別される。
ハードケースとは、PC（ポリカーボネート）やABS（アクロニトリル−ブタジエン−スチレン共重合）等の素材を使用したキャリーケースであり、硬度は金属並みに大きく、耐衝撃性が高いため頑丈であるため、収納物が多いときや重いときの使用に適している。また、ABSは表面の美感や印刷特性にも優れている。
【００３５】
一方、ソフトケースとは、ナイロンやPVC（ポリ塩化ビニル）等の素材を使用したキャリーケースであり、柔軟性に優れると共に、耐久性が高いため、収納物が少ないときや軽いときの使用に適している。
本実施の形態にあっては、使用者の使用実態により、ハードケースとソフトケース適宜選択することができる。
【００３６】
また、ポケット片２９は、ポリウレタン樹脂製であることにより、抗張力や耐摩耗性に優れている。
本実施の形態にあっては、ポケット片２９がクッション部材からなる場合を例に説明したが、さらに、隔壁面部１３もクッション部材により構成しても良い。このような場合には、隔壁面部１３をクッション部材により構成する一方、ポケット片２９をクッション部材ではなく、通常の布材により構成しても良い。
【００３７】
図３は、本考案に係るフロントオープン型キャリーケース５０の副収納部５１を開放し、ポケット部６４にタブレット型コンピューター５２を収納した収納体６０を収納した状態における他の実施の形態を示す斜視図である。上記第一の実施の形態と異なる点のみを説明する。
図３に示すように、本実施の形態に係るフロントオープン型キャリーケース５０にあっては、第一のフロントオープン型キャリーケース１０における、一対の箱状ハーフ１５、１６の接合部２１周縁に設けられた線ファスナー２２により開閉可能に形成されていたのとは異なり、他方の箱状ハーフ５５の幅方向一端面部５６に設けられたフレームロック部材５４により開閉可能に形成されていると共に、主収納部６６は、他方の箱状ハーフ５５の上部６７に設けられた持手部６８と、側部６９に設けられた持手部７０とを備えている。
【００３８】
したがって、本実施の形態にあっては、図１に示した場合と同様に、ポケット部６４内にタブレット型コンピューター５２を収納した収納体６０を収納することができ、フロントオープン型キャリーケース５０が大きな衝撃を受けた場合や急ぐ際に急激な移動をした際であっても、様々な衝撃を吸収して収納体６０をより確実に保護した状態で収納し持ち運びすることができる。
また、タブレット型コンピューター５２は、旅行中に、ガイドブックの代替や写真撮影等のため頻繁に取り出しすることが多いが、副収納部５１を蓋体６５を開くことにより開放し、主収納部６６に収納した収納物に関わらず、容易かつ迅速に取り出して作業を行うことができる。
【００３９】
尚、図１に示した本実施の形態に係るフロントオープン型キャリーケース１０にあっては、副収納部１２の表面部３７は、主収納部１１の表面部３８と面一に形成される。したがって、全体として外観品質に優れ、かつ、扱いやすいフロントオープン型キャリーケース１０を提供することができる。
また、蓋体２５の周縁部２５ａ、２５ｂ、２５ｃ、２５ｄは、一対の箱状ハーフ１５、１６の周縁部１５ａ、１５ｂ、１５ｃ、１５ｄ、１６ａ、１６ｂ、１６ｃ、１６ｄと段差なく、同一平面上に配置されるように構成されている場合を例に説明したが、本実施の形態に限定されず、副収納部１２が主収納部１１の外部に突出するように配置された、フロントオープン型キャリーケースにも適用できる。
さらに、図３に示した本実施の形態に係るフロントオープン型キャリーケース５０についても同様に適用できる。
【産業上の利用可能性】
【００４０】
従って、本考案に係るフロントオープン型キャリーケースは、フロントオープン型キャリーケースにラップトップ型パソコンやタブレット型コンピューター等の電子機器を損傷させることなく良好な状態で収納し、かつ必要時には容易に出し入れできる状態で持ち運びすることができるため、産業上の利用可能性を有している。
【符号の説明】
【００４１】
１０  フロントオープン型キャリーケース
１１  主収納部
１２  副収納部
１３  隔壁面部
１５  一方の箱状ハーフ
１５ａ  周縁部
１５ｂ  周縁部
１５ｃ  周縁部
１５ｄ  周縁部
１６  他方の箱状ハーフ
１６ａ  周縁部
１６ｂ  周縁部
１６ｃ  周縁部
１６ｄ  周縁部
１７  上端部
１８  取手部
１９  底面部
２０  キャスター
２１  接合部
２２  線ファスナー
２３  開口部
２４  開口部
２５  蓋体
２５ａ  周縁部
２５ｂ  周縁部
２５ｃ  周縁部
２５ｄ  周縁部
２６  線ファスナー
２６ａ  ランナー
２６ｂ  ランナー
２７  下端部
２８  開閉軸部
２９  ポケット片
３０  幅方向両端部
３１  幅方向両端部
３２  マチ部
３３  ラップトップ型パソコン
３４  ポケット部
３５  中間部
３６  面ファスナー
３７  表面部
３８  表面部
４０ａ  内側周縁部
４０ｂ  内側周縁部
４０ｃ  内側周縁部
４０ｄ  内側周縁部
４１  縫い糸
４２  収納体
４７  上端部
４８  開口部
５０  フロントオープン型キャリーケース
５１  副収納部
５２  タブレット型コンピューター
５４  フレームロック部材
５５  他方の箱状ハーフ
５６  幅方向一端面部
６０  収納体
６４  ポケット部
６５  蓋体
６６  主収納部
６７  上部
６８  持手部
６９  側部
７０  持手部
α  開放角度
【図１】
0003183727.tif 000003
【図２】
0003183727.tif 000004
【図３】
0003183727.tif 000005